(57)【特許請求の範囲】
【請求項１】
第１のシート基材の両面を印字面とする第１のシートと、前記第１のシートの外縁からはみ出す大きさを有する第２のシート基材の片面を印字面とする一方、他方の面に疑似接着剤層と接着剤層とが積層される第２のシートとを含む貼付シートであって、
前記第１のシートは、少なくとも一方の面に予め印字が施された状態で、当該印字面上の所定領域に剥離剤層が積層され、この剥離剤層を前記接着剤層に対向するように重ね合わせて、第１のシートの外側に表出した第２のシートの接着剤層によって被着体に接着したときに、前記第１のシートが第２のシートと被着体との間に保持されることを特徴とする貼付シート。
【請求項２】
前記第１のシートは前記剥離剤層の外縁に沿うミシン目を有し、当該ミシン目に沿って第１のシートの一部が第２のシートから分離可能に設けられていることを特徴とする請求項１記載の貼付シート。
【請求項３】
前記第２のシートの疑似接着剤層又は接着剤層を鏡文字の印字面とすることを特徴とする請求項１又は２記載の貼付シート。
【請求項４】
前記疑似接着剤層及び接着剤層は透光性を有し、前記第２のシート基材を前記疑似接着剤層の界面で剥離したときに、前記鏡文字が視認可能に設けられていることを特徴とする請求項３記載の貼付シート。
【請求項５】
前記接着剤層の鏡文字周辺を含む所定領域に隠蔽処理が施されることを特徴とする請求項３又は４記載の貼付シート。
【請求項６】
前記第２のシートの捲り手段を更に含むことを特徴とする請求項１ないし５の何れかに記載の貼付シート。
【発明の詳細な説明】
【技術分野】
【０００１】
本発明は貼付シートに係り、更に詳しくは、秘匿情報を隠蔽した状態で被着体に貼付することができるとともに、多面的な印字を可能として多くの情報を印字することのできる貼付シートに関する。
【背景技術】
【０００２】
近時、インターネットやテレビショッピング等の普遍的な拡大に伴い、伝統的な店頭販売に加えて通信販売が普及するに至り、配送業者が販売者に代わって商品を消費者に届ける流通形態が多く見られるようになっている。そのため、配送伝票を通じて商品に関する情報、例えば、商品名、商品価格等が漏洩し得ることとなる。これらの情報は、消費者が購入した商品が何であるかを特定するため、消費者のプライバシーに大きく関わる秘匿情報であるとともに、商品価格は、商品価値を把握できるため、流通過程における盗難防止を図る観点からも秘匿情報といえる。
【０００３】
特許文献１には、配送伝票として用いることができるラベル積層体が開示されている。同ラベル積層体はラベルと、ラベル用シートとからなり、これらラベルとラベル用シートの各粘着剤層を相互に粘着させた状態で、ラベル用シートの外縁からはみ出すラベルの粘着剤層を被着体に貼付することで、ラベル用シートがラベルと被着体との間に挟まれる構成となっている。従って、ラベル用シートに印字された内容は隠蔽された状態となるため、ラベル用シートを秘匿情報の印字面として利用することができる。
【０００４】
【特許文献１】特開２００６−２６７３３７号公報
【発明の開示】
【発明が解決しようとする課題】
【０００５】
しかしながら、特許文献１に記載されたラベル積層体は、ラベル用シートの一方の面、すなわち、非粘着剤層側にのみ印字される構成であり、印字情報を多くすることに制約が伴う、という不都合がある。
また、ラベルと被着体との間に秘匿情報が印字されたラベル用シートが存在していることを利用者に気付かせることに難点があり、例えば、宅配商品の配送伝票として利用したときに、受取人がラベル用シートを取り出すことなく廃棄してしまう可能性について若干の改善の余地が残されていた。
【０００６】
［発明の目的］
本発明は、このような不都合に着目して案出されたものであり、その目的は、平面積を拡大することなく印字面を増やして多くの情報を印字可能にするとともに、配送伝票等に適用したときに、当該配送伝票の取り扱いを受取人が容易に理解できることに適合した貼付シートを提供することにある。
【課題を解決するための手段】
【０００７】
前記目的を達成するため、本発明は、第１のシート基材の両面を印字面とする第１のシートと、前記第１のシートの外縁からはみ出す大きさを有する第２のシート基材の片面を印字面とする一方、他方の面に疑似接着剤層と接着剤層とが積層される第２のシートとを含む貼付シートであって、
前記第１のシートは、少なくとも一方の面に予め印字が施された状態で、当該印字面上の所定領域に剥離剤層が積層され、この剥離剤層を前記接着剤層に対向するように重ね合わせて、第１のシートの外側に表出した第２のシートの接着剤層によって被着体に接着したときに、前記第１のシートが第２のシートと被着体との間に保持される、という構成を採っている。
【０００８】
本発明において、前記第１のシートは前記剥離剤層の外縁に沿うミシン目を有し、当該ミシン目に沿って第１のシートの一部が第２のシートから分離可能に設けられる、という構成を採ることができる。
【０００９】
また、前記第２のシートの疑似接着剤層又は接着剤層を鏡文字の印字面とすることができる。
【００１０】
更に、前記疑似接着剤層及び接着剤層は透光性を有し、前記第２のシート基材を前記疑似接着剤層の界面で剥離したときに、前記鏡文字が視認可能に設けられる、という構成を採っている。
【００１１】
また、前記接着剤層の鏡文字周辺を含む所定領域に隠蔽処理を施すことが好ましい。
【００１２】
更に、前記第２のシートの捲り手段を更に含む、という構成を採るとよい。
【００１３】
本発明における第１及び第２のシート基材は紙や樹脂フイルム等を用いることができる。また、疑似接着剤層は、第１の疑似接着剤層と第２の疑似接着剤層との積層構造によって構成でき、これらは、その界面で剥離可能に設けられている。第１、第２の疑似接着剤層としては、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せて疑似接着剤層とすることができる。
また、本発明において、「印字」は、文字、記号、図形又はこれらの任意の組合せを含む概念として用いられる。
【発明の効果】
【００１４】
本発明によれば、第１のシート基材の両面が印字面とされ、少なくとも一方の面に予め印字を施して当該印字面の所定領域に剥離剤層を設けているため、剥離剤層が第２のシートの接着剤層側となるように重ね合わせることによって、第１のシートを第２のシートから剥離若しくは分離して印字内容を視認することができる。従って、片面のみ印字面とした従来タイプに比べ、同じ平面積を有する記録媒体であっても情報量を増大させることが可能となる。
更に、第１のシートにミシン目を設けて第２のシートから分離可能とした構成では、ミシン目の外側に位置する第１のシート部分を第２のシートに確実に接着させて第１のシートを分離不能に保持することができる一方、ミシン目の内側を必要箇所として第２のシートから分離して保管することができる。
また、第２のシート基材は、疑似接着剤層と接着剤層とが順次積層され、疑似接着剤層又は接着剤層に鏡文字が印字された構成であるため、疑似接着剤層の界面で第２のシート基材を剥離したときに、前記鏡文字を視認することが可能となり、この点からも多くの情報を印字することができる。特に、疑似接着剤層及び接着剤層が透光性を有する材料とし、鏡文字を視認可能としたことで、第１のシートの存在について注意を喚起する表示を含め得るため、第１のシートの存在に気づかずに廃棄してしまうような不都合も回避することができる。
更に、接着剤層の鏡文字周辺を含む所定領域に隠蔽処理を施すことによって、鏡文字と第１のシート基材上の印字とが重なり合って見え難くなることを防止することができる。
また、第２のシートの捲り手段を設けた構成によれば、貼付シートを被着体に貼付した後の捲り取り作業を容易に行うことができる。
【発明を実施するための最良の形態】
【００１５】
以下、本発明の実施の形態について図面を参照しながら説明する。
【００１６】
図１には、宅配商品等の配送伝票に本発明の貼付シートＳが適用された実施形態に係る概略斜視図が示され、図２には、その分解側面図が示されている。これらの図において、宅配商品等の梱包体となる被着体Ｗに貼付シートＳが貼付されている。この貼付シートＳは、図２に示されるように、第１のシートＳ１と第２のシートＳ２とにより構成されている。
【００１７】
前記第１のシートＳ１は、両面を印字面１０Ａ、１０Ｂとして印字１０ａ、１０ｂが施される第１のシート基材１０と、印字面１０Ｂ上に設けられて印字面１０Ｂの所定領域に剥離剤層１２が積層されて構成されている。本実施形態の場合、第１のシート基材１０は紙により構成されているとともに、平面形状が略方形の輪郭に設けられている。また、剥離剤層１２は、第１のシート基材１０の図２中左右両側縁に沿う領域以外の部分に設けられている。この剥離剤層１２は、例えば、シリコーン樹脂等からなる透光性を有する材料からなり、予め印字１０ｂを施した後に設けられるようになっている。そのため、本実施形態では、印字面１０Ｂは、特に限定されるものではないが、「クーリングオフ」等の定型的な説明文が表示されている。なお、第１のシート基材１０において、前記剥離剤層１２の図２中左右両側縁に沿う位置にミシン目１０Ｃが形成され、これらミシン目１０Ｃの外側領域における上面側が第２のシートＳに接着して当該第２のシートＳに保持される一方、ミシン目１０Ｃ間の部分、すなわち、印字１０ａ、１０ｂが施された領域が切り取り可能となっている（図４参照）。
【００１８】
前記第２のシートＳ２は、第２のシート基材１４と、当該第２のシート基材１４の片面（図２中上面）を印字面１４Ａとする一方、他方の面に疑似接着剤層１５と、グラシン紙１６と、接着剤層１７とを順次積層した層構造に設けられている。本実施形態では、第２のシートＳ２は、第１のシートＳ１の外縁からはみ出す大きさ、すなわち、第１のシートＳ１よりも大きい形状を有する平面積とされている。また、接着剤層１７の表面（図２中下面）側は印字面１７Ａとして構成されており、当該印字面１７Ａには、鏡文字１７ａが印字されるようになっている。そのため、疑似接着剤層１５、グラシン紙１６及び接着剤層１７は透光性を備えて構成されている。ここで、疑似接着剤層１５は、ポリスチレンからなる第１疑似接着剤層１５Ａと、低密度ポリエチレンからなる第２疑似接着剤層１５Ｂとにより構成され、これらの界面で剥離可能とされている。なお、接着剤層１７は、鏡文字１７Ａ周辺を含む所定領域に、全面印刷或いはドットパターン印刷等により隠蔽処理（図示せず）が施されている。この隠蔽処理は鏡文字１７Ａを印字する際の当該鏡文字１７Ａを除く領域を背景印刷することにより行うことができ、これにより、貼付シートＳを被着体Ｗに貼付した状態で、第２のシート基材１４を疑似接着剤層１５の層間で剥離したときに、鏡文字１７ａと第１のシート基材１０上の印字１０ｂとが重なり合って見え難くなることを防止することができる。
【００１９】
前記第２のシートＳ２において、第２のシート基材１４と、第２疑似接着剤層１５Ｂには、平面視略方形の軌跡に沿うミシン目若しくは切り込み２０が形成されており、この切り込み２０で囲まれる内側において、第２のシート基材１４の表面に、「あて先」、「氏名」、「受領印」等からなる印字１４ａが行えるようになっている。また、切り込み２０の１つのコーナーには打抜部２０Ａが形成されており、当該打抜部２０Ａに指先を引っ掛けることで、切り込み２０の内側領域となる第２のシート基材１４部分が剥離し易くなっている。更に、第２のシートＳ２には、接着剤層１７に接着して外側に突き出る捲り手段としての片状の摘み２１が設けられている。
【００２０】
次に本実施形態における貼付シートＳの使用方法について説明する。
【００２１】
先ず、第１のシートＳ１は、前述した定型文としての印字１０ｂが予め印字された状態で、印字面１０Ｂ上に剥離剤層１２が積層されている。この第１のシートＳ１は、プリンタに装填されて秘匿情報、すなわち、商品名、商品代金等の印字１０ａが施されるとともに、領収書欄等が印字される。
この一方、第２のシートＳ２は、第２のシート基材１４上に受取人のあて先や住所等の他、受領印捺印欄等が印字される。また、接着剤層１７の印字面１７Ａには鏡文字１７ａが印字される。
【００２２】
次いで、第１のシートＳ１の剥離剤層１２が第２のシートＳ２の接着剤層１７に対向するように両シートＳ１、Ｓ２を重ね合わせ、剥離剤層１２よりも外側となる第１のシート基材１０の図２中左右上面を接着剤層１７に接着させて一体化した貼付シートＳを得る。この貼付シートＳは、第１のシートＳ１の外縁に接着剤層１７が表出した状態に保たれる。
【００２３】
次いで、第１のシートＳ１の外縁に表出した接着剤層１７領域を被着体Ｗに接着させることで、第１のシートＳ１は、第２のシートＳ２と被着体Ｗとの間に挟み込まれて保持される。このようにして、第１のシート基材１０の印字面１０Ａに施された秘匿情報となる印字１０ａは隠蔽されることとなる。
【００２４】
貼付シートＳが貼付された被着体Ｗとしての宅配商品が受取人に配達された際には、宅配業者は第２のシート基材１４の受領印欄に受取人の捺印Ｎを押印してもらうとともに、前記切り込み２０で囲まれる内側領域を剥離する（図３参照）。この剥離は、第１の疑似接着剤層１５Ａと第２の疑似接着剤層１５Ｂとの界面にて行われ、これにより、第１の疑似接着剤層１５Ａ、グラシン紙１６、接着剤層１７を通じて前記接着剤層１７に印字された鏡文字１７ａが表出し、例えば、「納品書はこの下面にあります」という表示を受取人に知らしめることができる。
【００２５】
従って、受取人は、図４に示されるように、前述した摘み２１を摘んで貼付シートＳを被着体Ｗから剥離することとなり、この剥離によって第２のシートＳ２に第１のシートＳ１を付随させた状態で剥離することができ、次いで、前記ミシン目１０Ｃ間の納品書該当部分、すなわち、第１のシートＳ１部分を切り取ることで、第２のシートＳ２から分離することができる。ここで、ミシン目１０Ｃ間の納品書該当部分には、剥離剤層１２が積層され、その他の領域は接着剤層１７に密着しているため、納品書該当部分をミシン目１０Ｃに沿って容易に分離することができる。
【００２６】
このようにして分離された第１のシートＳ１部分の印字面１０Ｂには、例えば、「クーリングオフ」についての説明等を見てとることができる。
【００２７】
従って、このような実施形態によれば、第１のシートＳ１に印字された内容は、例え、配送業者といえども見ることができないので、通信販売等における配送伝票として利用することで、個人のプライバシーを確実に守ることが可能な貼付シートを提供することができ、しかも、多面的な印字を可能とすることで、同じ平面積を有する記録媒体であっても情報量を増大することができ、また、商品保証書を含める印字等を行うことによって、被着体Ｗ内に別途の保証書を投入するような作業も必要とすることのない使い勝手のよい貼付シートを提供することができる。
【００２８】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２９】
例えば、前記実施形態では、接着剤層１７に鏡文字１７ａを印字する構成を図示、説明したが、本発明はこれに限定されるものではなく、図５に示されるように、第１の疑似接着剤層１５Ａの図中下面側に鏡文字１５ａを印字してもよく、これによっても、前記実施形態と同様に、第２のシート基材１４を剥離したときに、鏡文字１５ａを視認することができる。
【００３０】
また、本発明に係る貼付シートＳの層数は、図示構成例に限定されるものではなく、必要に応じて増減させてもよい。
【００３１】
更に、前記実施形態で示したグラシン紙１６は省略してもよいし、それに代えて透光性を有する紙や樹脂フイルム等で構成してもよい。
【００３２】
また、貼付シートＳは宅配商品の配送伝票に限らず、秘匿情報を外部に漏れることなく隠蔽する必要が要請されるその他のラベル等に適用してもよく、更に、貼付シートＳの平面形状、第１及び第のシートＳ１、Ｓ２の相対平面積等、秘匿情報を隠蔽できる限りにおいて種々変更することができる。
【００３３】
更に、捲り手段としての摘み２１を設けずに、第２のシート基材Ｓ２の外周側に適当な切り欠き等を形成し、当該切り欠き等に指先を引っかけて剥離できるようにしてもよい。
【００３４】
また、第１のシート基材１０は、両面に剥離剤層を設けてもよい。
【図面の簡単な説明】
【００３５】
【図１】本発明に係る貼付シートが配送伝票に適用された実施形態を示す概略斜視図。
【図２】前記貼付シートの層構造を示す分解側面図。
【図３】第２のシート基材部分を剥離する状態を示す概略斜視図。
【図４】貼付シートを剥離して第１のシート部分を第２のシートから分離する要領を示す概略斜視図。
【図５】前記実施形態の変形例を示す図２と同様の分解側面図。
【符号の説明】
【００３６】
１０  第１のシート基材
１０Ａ、１０Ｂ、１４Ａ、１７Ａ  印字面
１０Ｃ  ミシン目
１２  剥離剤層
１４  第２のシート基材
１５  疑似接着剤層
１７  接着剤層
１７ａ  鏡文字
２１  摘み（捲り手段）
Ｓ  貼付シート
Ｓ１  第１のシート
Ｓ２  第２のシート
Ｗ  被着体
【図１】
0004908347.tif 000002
【図２】
0004908347.tif 000003
【図３】
0004908347.tif 000004
【図４】
0004908347.tif 000005
【図５】
0004908347.tif 000006